(57)【要約】【課題】手摺部を例えばバルコニーの内側あるいは外側に張り出すように設ける際、取り付け作業が簡単に行なえるようにした手摺受け部材の取り付け部構造を提供する。【解決手段】建物のバルコニーなどを覆う壁体を支持する各支柱３の上端近傍に鉛直方向に立った状態で一端側が固定される取り付けプレート７と、壁体から突出する取り付けプレート７の他端側の係止片１１に係止する係止プレート１６を備える手摺支柱固定金具１４とを備え、この手摺支柱固定金具１４は下端から途中までは鉛直方向に向き、途中から上端までは僅かな角度で傾斜している手摺支柱１２の下部の鉛直部１２ｂの下端に取り付けられており、前記手摺支柱１２の上部の傾斜部１２ａの上端および途中には手摺受け部材１３が取り付けられている。【選択図】図２
2011032735.tif 000002
【特許請求の範囲】
【請求項１】
建物のバルコニーなどを覆う壁体を支持する各支柱の上端近傍に鉛直方向に立った状態で一端側が固定される取り付けプレートは、他端側の上下２箇所に係止片が形成されており、この係止片は前記壁体から突出した状態に取り付けプレートが前記支柱に取り付けられ、係止片と取り付けプレートの本体部との境界部で溝が上下方向に形成されており、前記取り付けプレートに支持される手摺支柱は、下端から途中までは鉛直方向に向いており、途中から上端までは僅かな角度で傾斜しており、この手摺支柱の上部の傾斜部の上端および途中には手摺受け部材が取り付けられており、手摺支柱の下部の鉛直部の下端に前記取り付けプレートに対向して手摺支柱固定金具が取り付けられており、この手摺支柱固定金具はそのケーシング状の本体部の一側部が手摺支柱の鉛直部の下端に固着されており、本体部の他側部に前記取り付けプレートの上下の係止片が上下動可能に遊びを持って嵌入させる孔部が形成され、この孔部が形成されている本体部の他側面に重なるように、前記上下の係止片とほぼ同一寸法で一端が前記孔部の一端と合致する孔部を有する係止プレートが本体部の他側面側にビス止めされており、前記取り付けプレートの上下の係止片は前記係止プレートの孔部より差し込まれて、係止プレートと係止片の溝が合致した状態で本体部に螺入するビスにより取り付けプレートを押し付け鉛直方向に押し付け、係止プレートと係止片の溝とを係止させて、取り付けプレートに手摺支柱が取り付けられるように構成したことを特徴とする手摺受け部材の取り付け部構造。
【発明の詳細な説明】
【技術分野】
【０００１】
本発明は、建物のバルコニーや廊下などに設けられる手摺受け部材の取り付け部構造に関するものである。
【背景技術】
【０００２】
従来のこの種手摺を備えるバルコニーとしては例えば特許文献１に開示されているものが知られている。この特許文献１に開示されているバルコニーは、建物の外壁から突出するように設けられた腕木およびこの腕木に取り付けられた床フレームにバルコニーの周方向に沿う位置において適当間隔おきに支柱を立設し、手摺子と、この手摺子の上側に設けられた笠木と、手摺子の下側に設けられた化粧カバーにより構成される手摺ユニットを前記支柱上に固定して、この手摺ユニットをバルコニーの周方向に配設してなるものである。
【先行技術文献】
【特許文献】
【０００３】
【特許文献１】特開平９−２５６６５号公報
【発明の概要】
【発明が解決しようとする課題】
【０００４】
上記特許文献１に開示されているバルコニーの構成は、支柱上に手摺ユニットを固定するものであり、手摺部を例えばバルコニーの外側に張り出すように設けることは複雑で困難であった。
【０００５】
本発明の目的は、このような課題を解決するものであり、手摺部を例えばバルコニーの内側あるいは外側に張り出すように設ける際、取り付け作業が簡単に行なえるようにした手摺受け部材の取り付け部構造を提供することにある。
【課題を解決するための手段】
【０００６】
本発明の請求項１に記載の手摺受け部材の取り付け部構造は、建物のバルコニーなどを覆う壁体を支持する各支柱の上端近傍に鉛直方向に立った状態で一端側が固定される取り付けプレートは、他端側の上下２箇所に係止片が形成されており、この係止片は前記壁体から突出した状態に取り付けプレートが前記支柱に取り付けられ、係止片と取り付けプレートの本体部との境界部で溝が上下方向に形成されており、前記取り付けプレートに支持される手摺支柱は、下端から途中までは鉛直方向に向いており、途中から上端までは僅かな角度で傾斜しており、この手摺支柱の上部の傾斜部の上端および途中には手摺受け部材が取り付けられており、手摺支柱の下部の鉛直部の下端に前記取り付けプレートに対向して手摺支柱固定金具が取り付けられており、この手摺支柱固定金具はそのケーシング状の本体部の一側部が手摺支柱の鉛直部の下端に固着されており、本体部の他側部に前記取り付けプレートの上下の係止片が上下動可能に遊びを持って嵌入させる孔部が形成され、この孔部が形成されている本体部の他側面に重なるように、前記上下の係止片とほぼ同一寸法で一端が前記孔部の一端と合致する孔部を有する係止プレートが本体部の他側面側にビス止めされており、前記取り付けプレートの上下の係止片は前記係止プレートの孔部より差し込まれて、係止プレートと係止片の溝が合致した状態で本体部に螺入するビスにより取り付けプレートを押し付け鉛直方向に押し付け、係止プレートと係止片の溝とを係止させて、取り付けプレートに手摺支柱が取り付けられるように構成したことを特徴とする。
【発明の効果】
【０００７】
以上のように、本発明の手摺受け部材の取り付け部構造は、手摺部を例えばバルコニーの内側あるいは外側に張り出すように設ける際、壁体を支持する各支柱に取り付けた取り付けプレートの係止片に手摺支柱側の手摺支柱固定金具の係止プレートを係止させ、ビスにより締め付け固定するだけで取り付け作業が簡単に行なうことができる。
【図面の簡単な説明】
【０００８】
【図１】本発明の一実施の形態における手摺受け部材の取り付け部構造の全体分解斜視図である。
【図２】同取り付けプレートと手摺支柱固定金具との関係を示す分解斜視図である。
【図３】同取り付けプレートと手摺支柱固定金具とが結合した状態を示す斜視図である。
【図４】同取り付けプレートと手摺支柱固定金具とが結合した状態を示す断面図である。
【図５】同手摺の取り付け完成状態を示す斜視図である。
【発明を実施するための形態】
【０００９】
以下、本発明の一実施の形態を、図１〜図５を用いて具体的に説明する。
図において、１は建物のバルコニー２の周囲を覆う壁体で、この壁体１はバルコニー２の床面上にバルコニー２の周方向適当間隔おきに立設する支柱３に支持されて組み立てられるようになっている。前記バルコニー２の周方向適当間隔おきに立設する各支柱３は図面に示す実施の形態では２本のＣ形の鋼材４がその中央のフラットな面４ａ同士が互いに近接するように配設されて構成され、壁体１を構成する外壁材５および内壁材６はバルコニー２の内外から支柱３を挟み支柱３を隠すようにして支柱３の２本の鋼材４にねじ止めなどより取り付けられる。この外壁材５および内壁材６が支柱３の２本の鋼材４に取り付けられる前に、各支柱３の上端近傍において２本の鋼材４の前記フラットな面４ａ間にバルコニー２の内側から取り付けプレート７を鉛直方向に立った状態で嵌入させ、２本の鋼材４に対し取り付けプレート７をボルト８およびナット９で固定する。前記取り付けプレート７は２本の鋼材４間に嵌入する一端側の上下２箇所にボルト挿通孔１０が形成され、他端側の上下２箇所に上向きの係止片１１が形成されている。この係止片１１は取り付けプレート７の本体部７ａの上下２箇所から他端側に突出するように形成され、各係止片１１の上端部において取り付けプレート７の本体部７ａとの境界部で上端に開口する溝１１ａが上下方向に適当長さ範囲で形成されている。前記取り付けプレート７が２本の鋼材４に取り付けられた後で前記外壁材５および内壁材６が２本の鋼材４に支持される。この外壁材５および内壁材６の取り付け状態において取り付けプレート７の他端側の係止片１１は内壁材６からバルコニー２の内方に突出した状態となっている。
【００１０】
１２は前記取り付けプレート７に支持される手摺支柱で、下端から途中までは鉛直方向に向いているが、途中から上端まではバルコニー２の外方に僅かな角度で傾斜している。そして、この手摺支柱１２の上部の傾斜部１２ａの上端および途中にはバルコニー２の外方に向いてＵ字状の手摺受け部材１３が取り付けられている。１４は手摺支柱１２の下部の鉛直部１２ｂの下端に前記取り付けプレート７に対向して取り付けられた手摺支柱固定金具で、この手摺支柱固定金具１４はそのケーシング状の本体部１５の一側部が手摺支柱１２の鉛直部１２ｂの下端に固着されており、本体部１５の他側部に前記取り付けプレート７の上下の係止片１１が上下動可能に遊びを持って嵌入させる孔部１５ａが形成され、この孔部１５ａが形成されている本体部１５の他側面に重なるように、前記上下の係止片１１とほぼ同一寸法で下端が前記孔部１５ａの下端と合致する孔部１６ａを有する係止プレート１６が本体部１５の他側面側にビス１７止めされている。従って、前記取り付けプレート７の上下の係止片１１は前記係止プレート１６の孔部１６ａより差し込まれて、係止プレート１６と係止片１１の溝１１ａが合致した状態で本体部１５の下面側より締結用のビス１８を螺入させて取り付けプレート７の下端に押し付けることにより手摺支柱固定金具１４が下降して係止プレート１６と係止片１１の溝１１ａとが係止し、取り付けプレート７に手摺支柱１２が取り付けられるようになる。
【００１１】
以上のようにバルコニー２の壁体１内に位置する各支柱３の上端近傍に支持された取り付けプレート７に手摺支柱固定金具１４を介して取り付けられた手摺支柱１２の手摺受け部材１３で手摺棒１９を受け、ビス２０止めするものである。この状態において、手摺棒１９は手摺支柱１２の傾斜部１２ａに支持されているので、バルコニー２の壁体１から外側に張り出すようになる。
【００１２】
なお、図面に示す実施の形態では、各係止片１１の上端部において取り付けプレート７の本体部７ａとの境界部で上端に開口する溝１１ａが上下方向に適当長さ範囲で形成されており、係止プレート１６の孔部１６ａを本体部１５の孔部１５ａの下端と合致するようにし、本体部１５の下面側より締結用のビス１８を螺入させて取り付けプレート７の下端を押し付けるようにしているが、係止片１１の溝１１ａを取り付けプレート７の本体部７ａとの境界部で下端に開口するように形成し、係止プレート１６の孔部１６ａを本体部１５の孔部１５ａの上端と合致するようにし、本体部１５の上面側より締結用のビス１８を螺入させて取り付けプレート７の上端を押し付けるようにしても良い。また、バルコニー２の周囲を覆う壁体１の内面側で取り付けプレート７を介して手摺支柱１２を取り付けているが、バルコニー２の周囲を覆う壁体１の外面側で取り付けプレート７を介して手摺支柱１２を取り付けるようにしても良い。また、図面に示す実施の形態では、バルコニー２の周囲を覆う壁体１の上方に手摺棒１９を配設したが、建物の廊下などに設けられる壁体の上方に手摺棒１９を配設する場合も同様に行なえる。
【産業上の利用可能性】
【００１３】
本発明の手摺受け部材の取り付け部構造は、建物のバルコニーや廊下などの壁体の上方に手摺を内側あるいは外側に張り出すように設ける場合に好適な手摺受け部材の取り付け部構造である。
【符号の説明】
【００１４】
１      壁体
２      バルコニー
３      支柱
４      鋼材
４ａ    面
５      外壁材
６      内壁材
７      取り付けプレート
７ａ    本体部
８      ボルト
９      ナット
１０      ボルト挿通孔
１１      係止片
１１ａ    溝
１２      手摺支柱
１２ａ    傾斜部
１２ｂ    鉛直部
１３      手摺受け部材
１４      手摺支柱固定金具
１５      本体部
１５ａ    孔部
１６      係止プレート
１６ａ    孔部
１７      ビス
１８      ビス
１９      手摺棒
２０      ビス
【図１】
2011032735.tif 000003
【図２】
2011032735.tif 000004
【図３】
2011032735.tif 000005
【図４】
2011032735.tif 000006
【図５】
2011032735.tif 000007